【手続補正書】
【提出日】平成23年3月31日(2011.3.31)
【手続補正１】
【補正対象書類名】特許請求の範囲
【補正対象項目名】全文
【補正方法】変更
【補正の内容】
【特許請求の範囲】
【請求項１】
複数のレーザ光源により複数本のレーザビームを発生するレーザアレイ光源と、
前記レーザアレイ光源から照射された前記複数本のレーザビームを走査して表面電位を変化させて表面に静電潜像を形成する感光体と、を有する光走査方式画像形成装置であって、
前記複数のレーザ光源は、
前記静電潜像線が前記感光体の表面において該静電潜像線が形成される領域内で前記レーザビームの走査方向である主走査方向と非平行となるように形成され、且つ、１つの前記レーザ光源のみの点灯によって前記主走査方向に走査したレーザスポットによってベタ印刷となる程度に、複数の前記レーザスポットが副走査方向において重なるように配置され、
前記レーザアレイ光源における前記複数本のレーザビームの発光を制御する制御手段を有し、
前記制御手段は、
前記感光体の前記主走査方向に前記複数本のレーザビームを走査させて連続した１本の静電潜像線を形成する際に、
前記複数のレーザビームのうち、少なくとも一本のレーザビームを順次消灯させることを特徴とする光走査方式画像形成装置。
【請求項２】
前記静電潜像線を副走査方向に変位させるバイアス走査処理部を更に有し、
前記制御手段は、前記静電潜像線を副走査方向に変位させる主走査方向アドレスを保持する書き換え可能なテーブルを有し、前記バイアス走査処理部は書き換え可能なテーブルに応じて前記静電潜像線を副走査方向に変位させることを特徴とする請求項１記載の光走査方式画像形成装置。
【請求項３】
前記制御手段は、
前記複数のレーザ光源のうち何れかのレーザ光源が動作不能となったとき、
動作不能となったレーザ光源の隣に配置されたレーザ光源を、前記動作不能となったレーザ光源の代わりに露光させることを特徴とする請求項１又は２記載の光走査方式画像形成装置。
【請求項４】
前記レーザアレイ光源は、
前記複数のレーザ光源のレーザ射出口が直線上に配置された端面発光型レーザアレイであることを特徴とする請求項１ないし３の何れか一項に記載の光走査方式画像形成装置。
【請求項５】
前記連続した１本の静電潜像線は、
前記レーザ光源の露光強度の切り替えによって形成されることを特徴とする請求項１ないし４の何れか一項に記載の光走査方式画像形成装置。
【請求項６】
複数ｎのレーザ光源により複数本のレーザビームを発生するレーザアレイ光源と、
前記レーザアレイ光源から照射された前記複数本のレーザビームを走査して表面電位を変化させて表面に静電潜像を形成する感光体と、を有する光走査方式画像形成装置であって、
前記複数ｎのレーザ光源は、複数ｍ（ｍ＜ｎ）のレーザ光源からなる組に分けられ、
前記各組の複数のレーザ光源は、前記静電潜像線が前記感光体の表面において該静電潜像線が形成される領域内で前記レーザビームの走査方向である主走査方向と非平行となるように形成され、且つ、各組の複数のレーザ光源のうち１つのレーザ光源のみの点灯により前記主走査方向に走査したレーザスポットによってベタ印刷となる程度に、複数の前記レーザスポットが副走査方向において重なるように配置され、
前記レーザアレイ光源における前記複数本のレーザビームの発光を制御する制御手段を有し、
前記制御手段は、前記感光体の前記主走査方向に前記複数本のレーザビームを走査させて連続した１本の静電潜像線を形成する際に、前記複数の前記レーザビームのうち、少なくとも一本のレーザビームを順次消灯させることを特徴とする光走査方式画像形成装置。
【請求項７】
前記レーザアレイ光源の数は、４０個（ｎ＝４０）で、且つ、前記グループの数は１０組（ｍ＝１０）であることを特徴とする請求項６記載の光走査方式画像形成装置。
【手続補正２】
【補正対象書類名】明細書
【補正対象項目名】発明の名称
【補正方法】変更
【補正の内容】
【発明の名称】光走査方式画像形成装置
【手続補正３】
【補正対象書類名】明細書
【補正対象項目名】０００１
【補正方法】変更
【補正の内容】
【０００１】
本発明は、レーザアレイ光源を有する光走査方式画像形成装置に関する。
【手続補正４】
【補正対象書類名】明細書
【補正対象項目名】００１２
【補正方法】変更
【補正の内容】
【００１２】
本発明は、上記事を鑑みてこれを解決すべくなされたものであり、ビームチャンネル数を増加させた場合にも、ドループを低減させ且つスキューを小さくすることが可能な光走査方式画像形成装置を提供することを目的とするものである。
【手続補正５】
【補正対象書類名】明細書
【補正対象項目名】００１４
【補正方法】変更
【補正の内容】
【００１４】
本発明の画像形成装置は、複数のレーザ光源により複数本のレーザビームを発生するレーザアレイ光源と、前記レーザアレイ光源から照射された前記複数本のレーザビームを走査して表面電位を変化させて表面に静電潜像を形成する感光体と、を有する光走査方式画像形成装置であって、前記複数のレーザ光源は、前記静電潜像線が前記感光体の表面において該静電潜像線が形成される領域内で前記レーザビームの走査方向である主走査方向と非平行となるように形成され、且つ、１つの前記レーザ光源のみの点灯によって前記主走査方向に走査したレーザスポットによってベタ印刷となる程度に、複数の前記レーザスポットが副走査方向において重なるように配置され、前記レーザアレイ光源における前記複数本のレーザビームの発光を制御する制御手段を有し、前記制御手段は、前記感光体の前記主走査方向に前記複数本のレーザビームを走査させて連続した１本の静電潜像線を形成する際に、前記複数のレーザビームのうち、少なくとも一本のレーザビームを順次消灯させる構成とした。
【手続補正６】
【補正対象書類名】明細書
【補正対象項目名】００１６
【補正方法】削除
【補正の内容】
【手続補正７】
【補正対象書類名】明細書
【補正対象項目名】００１９
【補正方法】変更
【補正の内容】
【００１９】
また本発明において、前記レーザアレイ光源は、前記複数のレーザ光源のレーザ射出口が直線上に配置された端面発光型レーザアレイである構成としても良い。
また本発明において、前記連続した１本の静電潜像線は、前記レーザ光源の露光強度の切り替えによって形成される構成としても良い。
本発明は、複数ｎのレーザ光源により複数本のレーザビームを発生するレーザアレイ光源と、前記レーザアレイ光源から照射された前記複数本のレーザビームを走査して表面電位を変化させて表面に静電潜像を形成する感光体と、を有する光走査方式画像形成装置であって、前記複数ｎのレーザ光源は、複数ｍ（ｍ＜ｎ）のレーザ光源からなる組に分けられ、前記各組の複数のレーザ光源は、前記静電潜像線が前記感光体の表面において該静電潜像線が形成される領域内で前記レーザビームの走査方向である主走査方向と非平行となるように形成され、且つ、各組の複数のレーザ光源のうち１つのレーザ光源のみの点灯により前記主走査方向に走査したレーザスポットによってベタ印刷となる程度に、複数の前記レーザスポットが副走査方向において重なるように配置され、前記レーザアレイ光源における前記複数本のレーザビームの発光を制御する制御手段を有し、前記制御手段は、前記感光体の前記主走査方向に前記複数本のレーザビームを走査させて連続した１本の静電潜像線を形成する際に、前記複数の前記レーザビームのうち、少なくとも一本のレーザビームを順次消灯させる構成としても良い。
また本発明において、前記レーザアレイ光源の数は、４０個（ｎ＝４０）で、且つ、前記グループの数は１０組（ｍ＝１０）である構成としても良い。
【手続補正８】
【補正対象書類名】明細書
【補正対象項目名】００９９
【補正方法】変更
【補正の内容】
【００９９】
本発明は、同時に多数本のビーム走査を行う方式の光走査方式画像形成装置に利用可能である。